(57)【要約】【課題】  水中への出入れや移動が容易で、運搬も少ない労力で行える経済性・作業性に優れる魚貝類の飼育装置を提供する。【解決手段】  垂直の板材の側面に水平の狭幅の張出板２を複数突設して仕切板１とし、同仕切板１を魚貝類が通過できない通水性の容器５内に複数配列し、仕切板１の張出板２を隣接する仕切板１の側面に押し付けて仕切板１同士を所定間隔おいた状態にして容器５内に固定し、同容器５を水中に浸漬して仕切板１と張出板２で魚礁を形成して魚貝類を飼育できるようにした。【選択図】図４
2007014231.tif 000002
【特許請求の範囲】
【請求項１】
垂直の板材の側面に水平の狭幅の張出板を複数突設して仕切板とし、同仕切板を魚貝類が通過できない通水性の容器内に複数配列し、仕切板の張出板を隣接する仕切板の側面に押し付けて仕切板同士を所定間隔おいた状態にして容器内に固定手段で固定し、同容器を水中に浸漬して仕切板と張出板で魚礁を形成して魚貝類を飼育できるようにしたことを特徴とする、魚貝類の飼育装置。
【請求項２】
仕切板の固定手段が、長尺のボルトを各仕切板と容器の対向する側壁に連通させてボルトの両端部を容器の側壁の外側に突出させ、突出したボルトの端部にナットを螺合して容器に脱着自在に固定するようにしたものである、請求項１記載の魚貝類の飼育装置。
【請求項３】
仕切板の張出板を上方から全部又は一部見えるように位置をずらして突設した、請求項１又は２記載の魚貝類の飼育装置。
【請求項４】
仕切板の側面に開口を形成し、開口で通水と魚貝類の移動を可能にした、請求項１〜３いずれか記載の魚貝類の飼育装置。
【請求項５】
水面に浮かべた浮体に容器を吊下して水中に浸漬するようにした、請求項１〜４いずれか記載の魚貝類の飼育装置。
【請求項６】
容器の上方を開放して一部が開口されたネットを張設し、同ネットの開口部にに封止手段を設けた、請求項１〜５いずれか記載の魚貝類の飼育装置。
【発明の詳細な説明】
【技術分野】
【０００１】
本発明は、アワビやオコゼ等の魚貝類の飼育装置に関する。
【背景技術】
【０００２】
従来の飼育装置としては、特許文献１に示されるものが提案されている。この技術は、水が循環する水槽内に張出板を側面に複数突設した垂直の仕切板を水の流れ方向に略平行に且つ水槽の幅方向に沿って所定間隔おいて複数配列し、仕切板の張出板を隣接する仕切板の側面に押し付けた状態で各仕切板をボルトで固定したことを特徴とし、仕切板と張出板で魚礁を形成して飼育できるようにしたものである。ところで、上記技術は水を循環させるための大型の水槽が必要で、設置場所が限られてコストがかかるものであり、移動も困難であった。また、飼育後の貝類の回収も仕切板を水槽から取り出して行うが、運搬中に落下したり貝類が水槽に逃げたりして作業性が悪いものであった。
【特許文献１】特開２００４−１２９６０６号公報
【発明の開示】
【発明が解決しようとする課題】
【０００３】
本発明が解決しようとする課題は、従来のこれらの問題点を解消し、水中への出入れと移動、魚貝類の回収が少ない労力で容易に行える経済性・作業性に優れる魚貝類の飼育装置を提供することにある。
【課題を解決するための手段】
【０００４】
かかる課題を解決した本発明の構成は、
１）  垂直の板材の側面に水平の狭幅の張出板を複数突設して仕切板とし、同仕切板を魚貝類が通過できない通水性の容器内に複数配列し、仕切板の張出板を隣接する仕切板の側面に押し付けて仕切板同士を所定間隔おいた状態にして容器内に固定手段で固定し、同容器を水中に浸漬して仕切板と張出板で魚礁を形成して魚貝類を飼育できるようにしたことを特徴とする、魚貝類の飼育装置
２）  仕切板の固定手段が、長尺のボルトを各仕切板と容器の対向する側壁に連通させてボルトの両端部を容器の側壁の外側に突出させ、突出したボルトの端部にナットを螺合して容器に脱着自在に固定するようにしたものである、前記１）記載の魚貝類の飼育装置
３）  仕切板の張出板を上方から全部又は一部見えるように位置をずらして突設した、前記１）又は２）記載の魚貝類の飼育装置
４）  仕切板の側面に開口を形成し、開口で通水と魚貝類の移動を可能にした、前記１）〜３）いずれか記載の魚貝類の飼育装置
５）  水面に浮かべた浮体に容器を吊下して水中に浸漬するようにした、前記１）〜４）いずれか記載の魚貝類の飼育装置
６）  容器の上方を開放して一部が開口されたネットを張設し、同ネットの開口部にに封止手段を設けた、前記１）〜５）いずれか記載の魚貝類の飼育装置
にある。
【発明の効果】
【０００５】
本発明によれば、海中等に容器ごと浸漬でき、設置場所をとる大型の水槽を必要とせず低コストで実施でき、飼育場所の移動も容易である。また、仕切板は容器内に入れた状態で水中から取り出すから、取り出し中に魚貝類が落下したり逃げたりすることがなく、回収場所まで容易に運搬でき、作業性に優れる。
【発明を実施するための最良の形態】
【０００６】
本発明の仕切板と張出板を構成する素材としては、繊維強化プラスチックに珪藻土及び必要に応じて所要の充填材を混入して構成したものが、貝類の付着や育成が良好で且つ取り扱いが容易となり好ましい。張出板は貝類の仕切板間の移動や飼料の配置及び仕切板同士を所定間隔に配列するスペーサとして設けられるものであり、上方から全部又は一部見えるように位置をずらして突設することで飼料の配置が容易に行える。
【０００７】
容器としては、プラスチック，金属からなる通水性を有する網状で作業者が容易に持ち運びできる大きさのものが用いられ、上方は仕切板の出入れのために開放し、仕切板を配列後にネットを張設したり網状のプラスチック蓋等で閉塞する。また、ネットには封止自在の開口を形成したり蓋には開閉扉を設けて飼料の投入を容易にしてもよい。仕切板の固定手段としては、長尺のボルトを連通させて容器の側壁の外側でナットにより螺合するものが一般的であるが、容器の内側壁と仕切板の側面との間に突張部材やバネ等の付勢手段を設けると、所望の仕切板のみを容易に出入れできるようになる。以下、本発明の実施例を図面に基づいて具体的に説明する。
【実施例１】
【０００８】
図１〜７に示す実施例は、アワビの人工養殖に本発明の魚貝類の飼育装置を用いた例である。図１は実施例の飼育装置の一部切欠斜視図、図２は実施例の仕切板の斜視図、図３は実施例の飼育装置の平面図、図４は実施例の飼育装置の縦断面図、図５は実施例の飼育中の説明図、図６は実施例のアワビの配置を示す説明図、図７は実施例の他の例の飼育装置の斜視図である。図中、１は仕切板、２は張出板、３は開口、４はボルト孔、５は容器、６はボルト、７はスペーサ、８はワッシャー、９はナット、１０はネット、１１は投入口、１２は封止紐、Ａはアワビ、Ｆは浮体、Ｗは海水である。
【０００９】
本実施例の飼育装置は、図１〜４に示すようにアワビＡが通過できない網目状の容器５内に張出板２が側面に複数突設された仕切板１を複数枚配列して固定する。容器５は長さ８０ｃｍ，幅５０ｃｍ，深さ４０ｃｍ程度のポリプロピレン等の硬質のプラスチック製のものが用いられ、具体的には養鶏に用いられている鳥篭が応用できる。この容器５の上面は仕切板１の出入れのために開放されるが、飼育中はアワビＡが逃げないようにネット１０を張設してもよいし、他の手段としては金網やプラスチック網が用いられ、さらに一部を開閉自在にしたり図７に示すようにネット１０の中央部を開口して上方に伸ばし、封止紐１２を備えた投入口１１を形成して飼料の投入を容易にしてもよい。
【００１０】
仕切板１は、珪藻土と充填材が混入された比重１．２，長さ６０ｃｍ，高さ３０ｃｍ，厚さ１５ｍｍのＦＲＰ（繊維強化プラスチック）からなり、側面には仕切板１と同じ材質で断面Ｉ状の９０ｍｍ幅の張出板２をその上面が上方から全部又は一部見えるように位置をずらして５体突設し、仕切板１の中央部には通水及びアワビＡの行来のための楕円状の開口３を形成し、仕切板１の両側には仕切板１を容器５内に固定するボルト６を通すためのボルト孔４を形成している。
【００１１】
この仕切板１を容器５内に複数枚配列し、容器５の内側壁と同内側壁と面する仕切板１との間に所定間隔を形成するスペーサ７を介在させ、長さ５５ｃｍのボルト６を容器５の側壁の網目からスペーサ７と各仕切板１のボルト孔４を連通させて対向する容器５の側壁の網目に通してボルト６の両端を容器５の側壁の外側に突出させ、突出したボルト６にワッシャー８を介してナット９で螺合し、張出板２を隣接する仕切板１の側面に押し付けて仕切板１同士を所定間隔おいた状態にして固定している。なお、最端部の片方の仕切板１は張出板２を有しないものを用いている。
【００１２】
この仕切板１にアワビＡの稚貝を付着させてネット１０を張設し、図５に示すように、いかだ等の浮体Ｆを海面に浮かべてロープ等で容器５を吊下して海水Ｗに浸漬する。そしてワムシやプランクトン類，藻類等の飼料を容器５内に投下すると、飼料が水中を沈降して張出板２の上面に配置され、アワビＡが飼料を食して育成される。アワビＡから排出された糞や張出板２に配置されなかった飼料の一部は容器５の底面の網目を通過する。育成後は容器５を引き上げて浮体Ｆで移動し、運搬して回収する。飼育場所の変更は浮体Ｆの移動で容易に行える。
【産業上の利用可能性】
【００１３】
本発明の魚貝類の飼育装置は、主としてアワビ等の貝類の飼育に用いられるが、その他オコゼ等の養殖にも応用できる。
【図面の簡単な説明】
【００１４】
【図１】実施例の飼育装置の一部切欠斜視図である。
【図２】実施例の仕切板の斜視図である。
【図３】実施例の飼育装置の平面図である。
【図４】実施例の飼育装置の縦断面図である。
【図５】実施例の飼育中の説明図である。
【図６】実施例のアワビの配置を示す説明図である。
【図７】実施例の他の例の飼育装置の斜視図である。
【符号の説明】
【００１５】
１  仕切板
２  張出板
３  開口
４  ボルト孔
５  容器
６  ボルト
７  スペーサ
８  ワッシャー
９  ナット
１０  ネット
１１  投入口
１２  封止紐
Ａ  アワビ
Ｆ  浮体
Ｗ  海水
【図１】
2007014231.tif 000003
【図２】
2007014231.tif 000004
【図３】
2007014231.tif 000005
【図４】
2007014231.tif 000006
【図５】
2007014231.tif 000007
【図６】
2007014231.tif 000008
【図７】
2007014231.tif 000009